(57)【要約】【課題】簡単に特定の権利を配布することができるようにする。【解決手段】アンテナ２１は、磁界発生器１２が発生させる時間的に磁束密度が変化する磁界から誘起電圧を発生させ、電力再生回路２２は、発生した誘起電圧を整流して得られる電源電圧VCCを自分の各部に供給する。不揮発性メモリ２７は、自分が設けられたポスタに関係する特定の権利を非接触ICカード１３に提供するためのサービス情報２７ａを記憶し、書き込み制御部２６ａは、磁界発生器１２に発生させられた磁界によって、通信可能な状態にある非接触ICカード１３に対して、記憶しているサービス情報２７ａを書き込むことで、簡単に特定の権利を配布することができるようになる。本発明は、電子ポスタに適用できる。【選択図】図２
2008040972.tif 000002
【特許請求の範囲】
【請求項１】
磁界を発生させる磁界発生装置、および電子機器と相互に無線通信を行う情報処理装置からなる情報処理システムにおいて、
前記磁界発生装置は、
時間的に磁束密度が変化する前記磁界を発生させる発生手段
を備え、
前記情報処理装置は、
前記磁界から誘起電圧を発生させるアンテナと、
発生した前記誘起電圧を整流して得られる電力を自分の各部に供給する供給手段と、
自分が設けられた情報伝達媒体に関係する特定の権利を前記電子機器に提供するためのサービス情報を記憶する記憶手段と、
前記磁界発生装置に発生させられた前記磁界によって、通信可能な状態にある前記電子機器に対して、記憶している前記サービス情報を書き込む書き込み手段と
を備える情報処理システム。
【請求項２】
電子機器と相互に無線通信を行う情報処理装置において、
磁界発生装置が発生させる時間的に磁束密度が変化する磁界から誘起電圧を発生させるアンテナと、
発生した前記誘起電圧を整流して得られる電力を自分の各部に供給する供給手段と、
自分が設けられた情報伝達媒体に関係する特定の権利を前記電子機器に提供するためのサービス情報を記憶する記憶手段と、
前記磁界発生装置に発生させられた前記磁界によって、通信可能な状態にある前記電子機器に対して、記憶している前記サービス情報を書き込む書き込み手段と
を備える情報処理装置。
【請求項３】
前記書き込み手段は、前記サービス情報が既に前記電子機器に書き込まれている場合、記憶している前記サービス情報の前記電子機器への書き込みを停止する
請求項２に記載の情報処理装置。
【請求項４】
前記書き込み手段は、前記サービス情報を書き込む領域が前記電子機器に存在しない場合、記憶している前記サービス情報の前記電子機器への書き込みを停止する
請求項２に記載の情報処理装置。
【請求項５】
記憶している前記サービス情報を前記電子機器に書き込んだ回数を示す回数情報を、前記記憶手段に記憶させる記憶制御手段をさらに備える
請求項２に記載の情報処理装置。
【請求項６】
前記情報伝達媒体は、ポスタである
請求項２に記載の情報処理装置。
【請求項７】
電子機器と相互に無線通信を行う情報処理装置であって、自分が設けられた情報伝達媒体に関係する特定の権利を前記電子機器に提供するためのサービス情報を記憶する記憶手段を有する情報処理装置の情報処理方法において、
アンテナによって、磁界発生装置が発生させる時間的に磁束密度が変化する発生した前記誘起電圧を整流して得られる電力を自分の各部に供給し、
前記磁界発生装置に発生させられた前記磁界によって、通信可能な状態にある前記電子機器に対して、記憶している前記サービス情報を書き込む
ステップを含む情報処理方法。
【請求項８】
電子機器と相互に無線通信を行う情報処理装置であって、自分が設けられた情報伝達媒体に関係する特定の権利を前記電子機器に提供するためのサービス情報を記憶する記憶手段を有する情報処理装置の情報処理を、コンピュータに行わせるプログラムにおいて、
アンテナによって、磁界発生装置が発生させる時間的に磁束密度が変化する発生した前記誘起電圧を整流して得られる電力を自分の各部に供給し、
前記磁界発生装置に発生させられた前記磁界によって、通信可能な状態にある前記電子機器に対して、記憶している前記サービス情報を書き込む
ステップを含むプログラム。
【発明の詳細な説明】
【技術分野】
【０００１】
本発明は、情報処理システム、情報処理装置および方法、並びにプログラムに関し、特に、簡単に特定の権利を配布することができるようにした情報処理システム、情報処理装置および方法、並びにプログラムに関する。
【背景技術】
【０００２】
近年、IC（Integrated Circuit）カードが普及している。ICカードは、磁気カードなどの他のカードと比べて、大容量のデータを記録することができるとともに、データの暗号化も可能となるので、セキュリティの面においても優れている。ICカードには、通信方式の違いによって、接触型と非接触型に分けられ、非接触ICカードは、アンテナ線を所定の巻き数で巻いたアンテナが内蔵されており、微弱な電波を利用して専用のリーダライタなどの端末との通信を行う。
【０００３】
非接触ICカードは、例えば、部屋の入退出用のカード、電子マネーの格納用カード、交通機関の定期券、金融機関のクレジットカードなどの用途に使用されている他に、専用のリーダライタをポスタに設けた、いわゆる電子ポスタにも使用されている。電子ポスタには非接触ICカードと相互に通信するための専用のリーダライタが設けられているので、非接触ICカードを所持している利用者は、例えば、コーヒーショップの電子ポスタから無料コーヒーのクーポン券を入手したり、観光地の電子ポスタから詳細な観光地の情報を入手するなどのサービスを受けることができる。
【０００４】
また、本出願人は、関連情報を提供するサーバのURL（Uniform Resource Locator）や広告主のメールアドレスなどを記憶しているRFID（Radio Frequency Identification）タグをつり広告などに取り付けておくことで、RFIDリーダが設けられたPDA（Personal Digital Assistance）を用いて、その広告のRFIDタグから情報を受信し、インターネットにアクセスさせる情報提供システムを提案している（例えば、特許文献１参照）。
【０００５】
【特許文献１】特開２００２−３２４０２１号公報
【発明の開示】
【発明が解決しようとする課題】
【０００６】
しかしながら、従来の電子ポスタに設けられているリーダライタは、磁界を発生させる磁界発生部と、非接触ICカードとの通信を行う通信制御部とが一体になっているため、磁界を発生させて外部の非接触ICカードの捕捉を行うためには、磁界発生部に対して常に電力を供給する必要があり、一定の電力だけしか供給することのできない電池では常時駆動させることができず、それにより、いつ利用者によって翳されるかを予測できない非接触ICカードに対して、特定の権利を配布することができない可能性があった。
【０００７】
また、磁界発生部への電力の供給をスイッチにより切り替えることで、リーダライタを使用するときだけ電池駆動させることも可能であるが、非接触ICカードに書き込む特定の権利の設定の変更する場合、その権利を設定するための外部の機器との接続が必要になり、そのためにインターフェースコネクタなどをリーダライタに設ける必要がでてきて、リーダライタが高価になってしまう問題もでてくる。例えば、専用のリーダライタが設けられた電子ポスタにおいて、電子ポスタの管理者がリーダライタに設定されている特定の権利の設定の変更を行う場合、管理者は、その電子ポスタが設置されている場所まで出向いて専用のコントローラによりリーダライタを設定する必要があり、それが煩雑な作業を要し手間であった。
【０００８】
さらに、電子ポスタに非接触ICカードを貼り付けておき、利用者の所持するリーダライタによって、貼り付けられた非接触ICカードから特定の権利を取得させる方法もあるが、その方法であると、例えばサービスの提供回数やサービス提供者情報などの情報の管理が個人の所有するリーダライタに依存してしまう問題があった。例えば、上記特許文献１では、関連情報を提供するサーバのURLをリーダライタにより読み取らせる方法を提案しているが、そのURLを提供するRFIDはサービス提供回数などの情報を管理することができない。
【０００９】
本発明はこのような状況に鑑みてなされたものであり、簡単に特定の権利を配布することができるようにするものである。
【課題を解決するための手段】
【００１０】
本発明の第１の側面の情報処理システムは、磁界を発生させる磁界発生装置、および電子機器と相互に無線通信を行う情報処理装置からなる情報処理システムにおいて、前記磁界発生装置は、時間的に磁束密度が変化する前記磁界を発生させる発生手段を備え、前記情報処理装置は、前記磁界から誘起電圧を発生させるアンテナと、発生した前記誘起電圧を整流して得られる電力を自分の各部に供給する供給手段と、自分が設けられた情報伝達媒体に関係する特定の権利を前記電子機器に提供するためのサービス情報を記憶する記憶手段と、前記磁界発生装置に発生させられた前記磁界によって、通信可能な状態にある前記電子機器に対して、記憶している前記サービス情報を書き込む書き込み手段とを備える。
【００１１】
本発明の第１の側面においては、磁界発生装置では、時間的に磁束密度が変化する磁界が発生され、情報処理装置では、磁界から誘起電圧が発生され、発生された誘起電圧を整流して得られる電力が自分の各部に供給され、自分が設けられた情報伝達媒体に関係する特定の権利を電子機器に提供するためのサービス情報が記憶され、磁界発生装置に発生させられた磁界によって、通信可能な状態にある電子機器に対して、記憶しているサービス情報が書き込まれる。
【００１２】
本発明の第２の側面の情報処理装置は、電子機器と相互に無線通信を行う情報処理装置において、磁界発生装置が発生させる時間的に磁束密度が変化する磁界から誘起電圧を発生させるアンテナと、発生した前記誘起電圧を整流して得られる電力を自分の各部に供給する供給手段と、自分が設けられた情報伝達媒体に関係する特定の権利を前記電子機器に提供するためのサービス情報を記憶する記憶手段と、前記磁界発生装置に発生させられた前記磁界によって、通信可能な状態にある前記電子機器に対して、記憶している前記サービス情報を書き込む書き込み手段とを備える。
【００１３】
前記書き込み手段には、前記サービス情報が既に前記電子機器に書き込まれている場合、記憶している前記サービス情報の前記電子機器への書き込みを停止させることができる。
【００１４】
前記書き込み手段には、前記サービス情報を書き込む領域が前記電子機器に存在しない場合、記憶している前記サービス情報の前記電子機器への書き込みを停止させることができる。
【００１５】
記憶している前記サービス情報を前記電子機器に書き込んだ回数を示す回数情報を、前記記憶手段に記憶させる記憶制御手段をさらに設けることができる。
【００１６】
前記情報伝達媒体は、ポスタであるようにすることができる。
【００１７】
本発明の第２の側面の情報処理方法は、電子機器と相互に無線通信を行う情報処理装置であって、自分が設けられた情報伝達媒体に関係する特定の権利を前記電子機器に提供するためのサービス情報を記憶する記憶手段を有する情報処理装置の情報処理方法において、アンテナによって、磁界発生装置が発生させる時間的に磁束密度が変化する発生した前記誘起電圧を整流して得られる電力を自分の各部に供給し、前記磁界発生装置に発生させられた前記磁界によって、通信可能な状態にある前記電子機器に対して、記憶している前記サービス情報を書き込むステップを含む。
【００１８】
本発明の第２の側面のプログラムは、電子機器と相互に無線通信を行う情報処理装置であって、自分が設けられた情報伝達媒体に関係する特定の権利を前記電子機器に提供するためのサービス情報を記憶する記憶手段を有する情報処理装置の情報処理を、コンピュータに行わせるプログラムにおいて、アンテナによって、磁界発生装置が発生させる時間的に磁束密度が変化する発生した前記誘起電圧を整流して得られる電力を自分の各部に供給し、前記磁界発生装置に発生させられた前記磁界によって、通信可能な状態にある前記電子機器に対して、記憶している前記サービス情報を書き込むステップを含む。
【００１９】
本発明の第２の側面においては、アンテナによって、磁界発生装置が発生させる時間的に磁束密度が変化する発生した誘起電圧を整流して得られる電力が自分の各部に供給され、磁界発生装置に発生させられた磁界によって、通信可能な状態にある電子機器に対して、記憶しているサービス情報が書き込まれる。
【発明の効果】
【００２０】
以上のように、第１の側面によれば、簡単に特定の権利を配布することができる。特に、本発明の第１の側面によれば、磁界を発生させる磁界発生部と、非接触ICカードとの通信を行う通信制御部を分離して、必要に応じて非接触ICカードと通信できるようにしたので、簡単に特定の権利を配布することができる。
【００２１】
本発明の第２の側面によれば、簡単に特定の権利を配布することができる。特に、本発明の第２の側面によれば、磁界を発生させる磁界発生部と、非接触ICカードとの通信を行う通信制御部を分離して、必要に応じて非接触ICカードと通信できるようにしたので、簡単に特定の権利を配布することができる。
【発明を実施するための最良の形態】
【００２２】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の第１の側面の情報処理システムは、磁界を発生させる磁界発生装置（例えば、図２の磁界発生器１２）、および電子機器（例えば、図２の非接触ICカード１３）と相互に無線通信を行う情報処理装置（例えば、図２のICカード型リーダライタ１１）からなる情報処理システム（例えば、図２のICカードシステム１）において、前記磁界発生装置は、時間的に磁束密度が変化する前記磁界を発生させる発生手段（例えば、図２の磁界発生回路４２）を備え、前記情報処理装置は、前記磁界から誘起電圧を発生させるアンテナ（例えば、図２のアンテナ２１）と、発生した前記誘起電圧を整流して得られる電力を自分の各部に供給する供給手段（例えば、図２の電力再生回路２２）と、自分が設けられた情報伝達媒体（例えば、図１のポスタ１５）に関係する特定の権利を前記電子機器に提供するためのサービス情報（例えば、図２のサービス情報２７ａ）を記憶する記憶手段（例えば、図２の不揮発性メモリ２７）と、前記磁界発生装置に発生させられた前記磁界によって、通信可能な状態にある前記電子機器に対して、記憶している前記サービス情報を書き込む書き込み手段（例えば、図２の書き込み制御部２６ａ）とを備える。
【００２４】
本発明の第２の側面の情報処理装置は、電子機器（例えば、図２の非接触ICカード１３）と相互に無線通信を行う情報処理装置（例えば、図２のICカード型リーダライタ１１）において、磁界発生装置（例えば、図２の磁界発生器１２）が発生させる時間的に磁束密度が変化する磁界から誘起電圧を発生させるアンテナ（例えば、図２のアンテナ２１）と、発生した前記誘起電圧を整流して得られる電力を自分の各部に供給する供給手段（例えば、図２の電力再生回路２２）と、自分が設けられた情報伝達媒体（例えば、図１のポスタ１５）に関係する特定の権利を前記電子機器に提供するためのサービス情報を記憶する記憶手段（例えば、図２の不揮発性メモリ２７）と、前記磁界発生装置に発生させられた前記磁界によって、通信可能な状態にある前記電子機器に対して、記憶している前記サービス情報を書き込む書き込み手段（例えば、図２の書き込み制御部２６ａ）とを備える。
【００２５】
前記書き込み手段は、前記サービス情報が既に前記電子機器に書き込まれている場合、記憶している前記サービス情報の前記電子機器への書き込みを停止する（例えば、図４のステップＳ２６の処理）ことができる。
【００２６】
前記書き込み手段は、前記サービス情報を書き込む領域が前記電子機器に存在しない場合、記憶している前記サービス情報の前記電子機器への書き込みを停止する（例えば、図５のステップＳ２８の処理）ことができる。
【００２７】
記憶している前記サービス情報を前記電子機器に書き込んだ回数を示す回数情報（例えば、図２の書き込み回数情報２７ｂ）を、前記記憶手段に記憶させる記憶制御手段（例えば、図２の記憶制御部２６ｂ）をさらに設けることができる。
【００２８】
前記情報伝達媒体は、ポスタ（例えば、図１のポスタ１５）であるようにすることができる。
【００２９】
本発明の第２の側面の情報処理方法またはプログラムにおいては、電子機器（例えば、図２の非接触ICカード１３）と相互に無線通信を行う情報処理装置（例えば、図２のICカード型リーダライタ１１）であって、自分が設けられた情報伝達媒体（例えば、図１のポスタ１５）に関係する特定の権利を前記電子機器に提供するためのサービス情報（例えば、図２のサービス情報２７ａ）を記憶する記憶手段（例えば、図２の不揮発性メモリ２７）を有する情報処理装置の情報処理方法において、または電子機器と相互に無線通信を行う情報処理装置であって、自分が設けられた情報伝達媒体に関係する特定の権利を前記電子機器に提供するためのサービス情報を記憶する記憶手段を有する情報処理装置の情報処理を、コンピュータに行わせるプログラムにおいて、アンテナ（例えば、図２のアンテナ２１）によって、磁界発生装置（例えば、図２の磁界発生器１２）が発生させる時間的に磁束密度が変化する発生した前記誘起電圧を整流して得られる電力を自分の各部に供給し（例えば、例えば、図４のステップＳ２２の処理）、前記磁界発生装置に発生させられた前記磁界によって、通信可能な状態にある前記電子機器に対して、記憶している前記サービス情報を書き込む（例えば、図５のステップＳ２９の処理）ステップを含む。
【００３０】
本発明の第２の側面のプログラムは、記録媒体（例えば、図８のリムーバブルメディア１２１）に記録することができる。
【００３１】
以下、図面を参照しながら本発明の実施の形態について説明する。
【００３２】
図１は、電子ポスタとして用いられるICカードシステム１の構成を示すブロック図である。
【００３３】
ICカードシステム１は、電子ポスタとして用いられる場合、例えば駅構内や商業施設内に設けられ、特定の権利としての、広告や宣伝用のポスタ１５に関係する情報を非接触ICカード１３に提供する。例えば、ICカードシステム１において、ICカード型リーダライタ１１は、ポスタ１５がコーヒーショップのポスタである場合、無料コーヒーのクーポン券の情報を非接触ICカード１３に提供する。
【００３４】
図１のICカードシステム１は、ICカード型リーダライタ１１、磁界発生器１２、非接触ICカード１３、電源スイッチ１４、およびポスタ１５を含むようにして構成される。
【００３５】
ICカード型リーダライタ１１は、非接触ICカードとして動作するICカード機能と、リーダライタとして動作するリーダライタ機能の両方の機能を有する本発明の情報処理装置の一例である。つまり、ICカード型リーダライタ１１は、動作モードがカードモードであるとき、専用のリーダライタ（図示せず）により発生された磁界（電磁波）によって、各部に電力が供給されて駆動され、非接触ICカードとして動作する。また、ICカード型リーダライタ１１は、動作モードがリーダライタモードであるとき、磁界発生器１２により発生された磁界によって、各部に電力が供給されて駆動され、リーダライタとして動作する。なお、ICカード型リーダライタ１１が、非接触ICカードとして動作するときの動作モードをカードモードと称し、リーダライタとして動作するときの動作モードをリーダライタモードと称する。
【００３６】
ここで、ICカード型リーダライタ１１がリーダライタモードで動作しているとき、非接触ICカード１３をICカード型リーダライタ１１に翳している利用者により、磁界発生器１２による磁界の発生を開始させる電源スイッチ１４が押された場合、ICカード型リーダライタ１１は、磁界発生器１２により発生された磁界によって、各部に電力が供給され、駆動する。これにより、ICカード型リーダライタ１１と非接触ICカード１３との間で通信を行うことが可能となるので、ICカード型リーダライタ１１は、非接触ICカード１３内の情報を読み出したり、情報を書き込んだりすることができる。
【００３７】
そして、ICカード型リーダライタ１１は、利用者によって翳された非接触ICカード１３が正当なICカードであるか否かを認証し、非接触ICカード１３が正当なICカードであると認証された場合、ポスタ１５に関係する情報（特定の権利）を非接触ICカード１３に無線通信により送信し、記憶させる。これにより、非接触ICカード１３には、例えば、無料コーヒーのクーポン券の情報が記憶されることになり、利用者は、そのクーポン券の情報により無料でコーヒーを飲むことができる。
【００３８】
以上のように、電子ポスタとして用いられるICカードシステム１において、ICカード型リーダライタ１１は、利用者によって翳された非接触ICカード１３に特定の権利を配布する。
【００３９】
図２は、本発明を適用したICカードシステムの一実施の形態の構成を示すブロック図である。ICカードシステム１は、ICカード型リーダライタ１１、磁界発生器１２、および非接触ICカード１３を含むようにして構成される。
【００４０】
なお、図２では、図１と対応する部分については、同一の符号が付してあり、処理が同じ部分に関しては、その説明は繰り返しになるので省略する。すなわち、図２のICカードシステム１は、図１のICカードシステム１からICカード型リーダライタ１１、磁界発生器１２、および非接触ICカード１３を抜き出して表現した図である。また、図２において、実線で囲まれた四角は、装置の構成要素としてのブロックを示し、点線で囲まれた四角は、所定の情報を示している。このような実線と点線の使い分け方は、後述する他の図においても同様とされる。
【００４１】
ICカード型リーダライタ１１は、上述したように、カードモードで動作した場合、図示せぬリーダライタと無線通信を行うための所定の処理を行う。また、ICカード型リーダライタ１１は、リーダライタモードで動作した場合、非接触ICカード１３と無線通信を行うための所定の処理を行う。
【００４２】
ICカード型リーダライタ１１は、アンテナ２１、電力再生回路２２、クロック抽出回路２３、受信回路２４、送信回路２５、制御部２６、および不揮発性メモリ２７を含むようにして構成される。
【００４３】
アンテナ２１は、例えば、銅またはアルミなどの導体からなり、２巻き以上の所定の巻き数（パターン）となる、いわゆるループアンテナとして形成される。アンテナ２１は、磁界発生器１２による誘導電磁界を情報（データ）の伝送媒体として利用することで（例えば電磁誘導方式によって）、非接触ICカード１３と無線により通信を行う。
【００４４】
また、アンテナ２１は、後述する磁界発生器１２のアンテナ４１により発生される磁界の周波数と共振するように調節されており、アンテナ４１によって生成された磁界の一部が、アンテナ２１を鎮交することで、アンテナ２１に交流電圧（以下、受信電圧と称する）が誘起される。
【００４５】
電力再生回路２２は、例えば一般的にICカードに用いられる整流回路などからなる。電力再生回路２２は、アンテナ２１からの交流の受信電圧を直流の電源電圧VCCに変換し、その電源電圧VCCをICカード型リーダライタ１１の各部に供給する。これにより、ICカード型リーダライタ１１は、各部に電力が供給され、駆動する。
【００４６】
クロック抽出回路２３は、アンテナ２１によって受信された受信信号から、ICカード型リーダライタ１１の各部で用いられるクロック信号を生成する。クロック抽出回路２３は、生成したクロック信号を、制御部２６などのICカード型リーダライタ１１の各部に供給する。例えば、クロック抽出回路２３は、PLL（Phase Locked Loop）回路を内蔵し、受信信号と同一の周波数のクロック信号を発生する。これにより、ICカード型リーダライタ１１は、発生されたクロック信号に基づいて動作を行う。
【００４７】
受信回路２４は、カードモードまたはリーダライタモードのいずれかの動作モードでデータを受信する場合、アンテナ２１が受信した変調波に対して、例えば、後述する図３の変調部６９の変調方式に対応する所定の復調の処理などを施すことで、その変調波を復調させる。受信回路２４は、変調波を復調することで得られた受信データを制御部２６に供給する。
【００４８】
制御部２６は、ICカード型リーダライタ１１の各部の動作を制御する。
【００４９】
不揮発性メモリ２７は、例えば、EEPROM（Electronically Erasable and Programmable Read Only Memory）またはフラッシュメモリなどから構成される。不揮発性メモリ２７は、制御部２６の制御に基づいて、制御部２６から供給されたデータを記憶するか、または制御部２６からの要求に応じて記憶しているデータを制御部２６に供給する。
【００５０】
不揮発性メモリ２７は、例えば、サービス情報２７ａおよび書き込み回数情報２７ｂを記憶する。
【００５１】
サービス情報２７ａは、ICカード型リーダライタ１１が設けられたポスタ１５などの情報伝達媒体に関係する特定の権利を非接触ICカード１３に提供するための情報である。例えば、ポスタ１５がコーヒーショップの広告である場合、サービス情報２７ａは、無料コーヒーのクーポン券の情報となる。
【００５２】
書き込み回数情報２７ｂは、ICカード型リーダライタ１１により、サービス情報２７ａが非接触ICカード１３に書き込まれた回数を示す情報である。ICカード型リーダライタ１１により、サービス情報２７ａが非接触ICカード１３に書き込まれると、書き込み回数情報２７ｂは、１インクリメントされる。
【００５３】
また、制御部２６は、受信回路２４から供給される受信データに基に、必要に応じて不揮発性メモリ２７に記憶されている情報を読み出して、各種の処理を行う。制御部２６は、各種の処理を施すことにより得られた送信データを送信回路２５に供給する。
【００５４】
制御部２６は、書き込み制御部２６ａおよび記憶制御部２６ｂを含むようにして構成される。
【００５５】
書き込み制御部２６ａは、送信回路２５を制御して、例えば、不揮発性メモリ２７に記憶されているサービス情報２７ａなどのデータを、アンテナ２１を介して非接触ICカード１３に書き込む処理を行う。
【００５６】
記憶制御部２６ｂは、書き込み制御部２６ａによる、サービス情報２７ａを非接触ICカード１３に書き込む処理に応じて、不揮発性メモリ２７に記憶されている書き込み回数情報２７ｂを１インクリメントして、内部カウンタを更新する処理を行う。
【００５７】
送信回路２５は、カードモードまたはリーダライタモードのいずれかの動作モードでデータを送信する場合、制御部２６から供給される送信データに対して、例えば、後述する図３の復調部６２の復調方式に対応する所定の変調の処理などを施すことで、送信データを変調させる。送信回路２５は、送信データを変調することで得られた変調波（例えば、ASK（Amplitude Shift Keying）変調波）をアンテナ２１に供給する。これにより、アンテナ２１は、磁界発生器１２により発生された磁界によって、送信回路２５からの変調波を非接触ICカード１３に送信する。
【００５８】
磁界発生器１２は、時間的に磁束密度が変化する磁界を発生させる。磁界発生器１２は、アンテナ４１、磁界発生回路４２、水晶発信子４３、電源４４、および電源スイッチ１４を含むようにして構成される。
【００５９】
アンテナ４１は、アンテナ２１と同様に、例えば銅などの導体からなる、いわゆるループアンテナとして形成される。なお、アンテナ４１は、磁界の発生効率が上がるようなサイズと共振周波数に調整されている。
【００６０】
磁界発生回路４２は、電源４４からの電力により駆動され、水晶発信子４３による振動の周波数と対応するように、アンテナ４１をドライブして磁界を発生させる。なお、磁界発生回路４２は、外部の環境が変化しても、あらかじめ定められた一定の電力を送出する電力制限機能を備えている。
【００６１】
また、磁界発生回路４２は、磁界検出部４２ａを含むようにして構成される。
【００６２】
磁界検出部４２ａは、磁界発生器１２の近傍に、磁界発生器１２により発生させられる磁界と同一周波数となる磁界を検出する。これにより、磁界発生回路４２は、磁界検出部４２ａの検出結果に基づいて、磁界発生器１２の近傍に同一周波数の磁界が発生しているとき、磁界を発生させるのを停止する。
【００６３】
水晶発信子４３は、薄くスライスされた水晶であり、電圧がかけられると電流を通して振動する仕組みになっている。このスライスが薄いほど振動が活発になり、それにより、磁界発生回路４２は、高い周波数の磁界を発生させることができる。
【００６４】
また、磁界発生回路４２と電源４４との間には、上述した電源スイッチ１４が設けられている。電源スイッチ１４は、例えば、利用者による操作に応じて、その状態が切り替えられる。すなわち、電源スイッチ１４においては、その状態がオンとなるとき、磁界発生回路４２に電力が供給されるので、アンテナ４１に磁界が発生し、その状態がオフとなるとき、磁界発生回路４２に電力が供給されないので、磁界が発生しないこととなる。
【００６５】
非接触ICカード１３は、例えば、非接触ICチップやアンテナなどを内蔵し、リーダライタ機能を有しているICカード型リーダライタ１１との間で近接通信を行う。非接触ICカード１３の詳細は、図３を参照して後述する。
【００６６】
すなわち、利用者によって、非接触ICカード１３がICカード型リーダライタ１１に翳されることにより、非接触ICカード１３においては、磁界発生器１２のアンテナ４１から放射される磁界（電磁波）が電源供給の役割を果たして、非接触ICカード１３の内部回路が起動され、ICカード型リーダライタ１１と非接触ICカード１３との通信路が開通する。これにより、ICカード型リーダライタ１１は、非接触ICカード１３内の情報の読み出しや書き込みを行うことが可能となる。
【００６７】
なお、ICカード型リーダライタ１１は、リーダライタモードで動作するとき、非接触ICカード１３を検出するための信号を送信するが、このとき、例えば、磁界発生器１２から受給している磁界の消費電力を変化させることにより、等価的に磁界発生器１２からの磁界の振幅変調を行って、非接触ICカード１３と通信する。
【００６８】
図３は、非接触ICカード１３の機能の構成を示すブロック図である。
【００６９】
非接触ICカード１３は、アンテナ６１、復調部６２、SPU（Signal Processing Unit）６３、制御部６４、ROM（Read Only Memory）６５、RAM（Random Access Memory）６６、不揮発性メモリ６７、発振回路６８、変調部６９、および電力発生部７０を含むように構成される。
【００７０】
アンテナ６１は、ICカード型リーダライタ１１から送信されてきた変調波（例えば、ASK変調波）を電波として受信し、受信した変調波を復調部６２に供給する。また、アンテナ６１は、変調部６９から供給された変調波（例えば、ASK変調波）を電波として、無線通信により、ICカード型リーダライタ１１宛てに送信する。なお、このとき、アンテナ６１においては、磁界発生器１２から放射される所定の周波数の磁界により、共振が生じ、起電力が発生する。
【００７１】
復調部６２は、アンテナ６１から供給された変調波を、例えば、送信回路２５（図２）の変調方式に対応する復調方式により復調し、復調したデータをSPU６３に供給する。
【００７２】
SPU６３は、復調部６２から供給されたデータを所定の方式により復号し、復号したデータを制御部６４に供給する。例えば、SPU６３は、復調部６２において復調されたデータがマンチェスター方式で符号化されている場合、図示せぬPLL回路から供給されるクロック信号に基づいて、そのデータの復号（マンチェスターコードのデコード）を行い、復号したデータを制御部６４に供給する。
【００７３】
制御部６４は、非接触ICカード１３内の各部の動作を制御する。
【００７４】
制御部６４は、SPU６３から供給される各種のコマンドを実行する。例えば、制御部６４は、ICカード型リーダライタ１１から供給されてくるデータを、不揮発性メモリ６７に記憶させる。また、例えば、制御部６４は、ICカード型リーダライタ１１から送信されてくるデータを要求するコマンドに応じて、不揮発性メモリ６７から情報を読み出し、読み出した情報を、ICカード型リーダライタ１１宛てに送信させる。
【００７５】
制御部６４は、必要に応じて、ROM６５に記録されているプログラムを読み込み、実行する。制御部６４は、必要に応じて、データをRAM６６に供給したり、RAM６６が一時的に記憶しているデータを取得する。
【００７６】
ROM６５は、制御部６４が各種の処理を行うためのプログラム、その他のデータなどを記録している。ROM６５は、記録しているプログラム、その他のデータなどを制御部６４に供給する。
【００７７】
RAM６６は、制御部６４が各種の処理を行うとき、その処理の途中のデータなどを一時的に記憶する。RAM６６は、記憶しているデータを制御部６４に供給する。
【００７８】
不揮発性メモリ６７は、例えば、フラッシュメモリ、EEPROMなどにより構成され、各種データを記録している。不揮発性メモリ６７は、制御部６４の制御に基づいて、制御部６４から供給されたデータを記憶するか、または制御部６４からの要求に応じて記憶しているデータを制御部６４に供給する。
【００７９】
不揮発性メモリ６７は、例えば、登録サービス情報６７ａを記憶する。
【００８０】
登録サービス情報６７ａは、ICカード型リーダライタ１１によって書き込まれる（登録された）、ICカード型リーダライタ１１が設けられたポスタ１５などの情報伝達媒体に関係する特定の権利を非接触ICカード１３に提供するための情報である。つまり、サービス情報２７ａと登録サービス情報６７ａとは、同じ内容のデータとなる。例えば、サービス情報２７ａが、コーヒーショップの無料コーヒーのクーポン券の情報であるとき、登録サービス情報６７ａは、同様に、無料コーヒーのクーポン券の情報となる。
【００８１】
また、SPU６３は、制御部６４から供給されたデータを、所定の符号化方式により符号化し、符号化したデータを変調部６９に供給する。例えば、SPU６３は、制御部６４から供給されたデータを、マンチェスター方式で符号化し、符号化したデータを変調部６９に供給する。
【００８２】
発振回路６８は、アンテナ６１が受信するデータの周波数と同じ周波数のクロック信号を生成し、生成したクロック信号を変調部６９に供給する。
【００８３】
変調部６９は、発振回路６８から供給された所定の周波数のクロック信号を基に、搬送波を生成する。変調部６９は、搬送波に基づいて、SPU６３から供給されたデータを、例えば、受信回路２４（図２）の復調方式に対応する所定の変調方式によって変調することにより、変調したデータを生成し、変調したデータをアンテナ６１に供給する。例えば、変調部６９は、SPU６３から供給された、マンチェスター方式により符号化されたデータを、さらにASK変調し、変調したデータを、アンテナ６１を介して、ICカード型リーダライタ１１に送信させる。
【００８４】
また、例えば、変調部６９は、SPU６３から供給されるデータに対して、所定のスイッチング素子（図示せず）をオン、オフさせ、スイッチング素子がオン状態であるときだけ、所定の負荷をアンテナ６１に並列に接続させることにより、アンテナ６１の負荷を変動させる。ASK変調されたデータは、アンテナ６１の負荷の変動により、アンテナ６１を介して、ICカード型リーダライタ１１に送信される（ICカード型リーダライタ１１のアンテナ２１の端子電圧を変動させる）。
【００８５】
電力発生部７０は、アンテナ６１に生じた交流の起電力を基に、直流電力を発生させ、発生させた直流電力を非接触ICカード１３の各部に供給する。
【００８６】
次に、具体的な処理の流れについて説明する。
【００８７】
まず、図４および図５のフローチャートを参照して、ICカードシステム１において、ICカード型リーダライタ１１による、磁界発生器１２により発生させられた磁界を利用して、非接触ICカード１３にサービス情報２７ａを書き込む処理について説明する。なお、図４および図５において、ステップＳ１１乃至ステップＳ１５の処理は、磁界発生器１２により実行され、ステップＳ２１乃至ステップＳ３２の処理は、ICカード型リーダライタ１１により実行される。
【００８８】
ステップＳ１１において、磁界発生器１２は、利用者によって、電源スイッチ１４が押されたか否かを判定する。ステップＳ１１において、電源スイッチ１４が押されていないと判定された場合、ステップＳ１１に戻り、上述した処理が繰り返される。すなわち、例えば、非接触ICカード１３をICカード型リーダライタ１１に翳している利用者によって、電源スイッチ１４が押されて、ステップＳ１１において、電源スイッチ１４が押されたと判定されるまで、ステップＳ１１の処理が繰り返される。
【００８９】
一方、ステップＳ１１において、電源スイッチ１４が押されたと判定された場合、ステップＳ１２において、磁界発生器１２は、磁界検出部４２ａによる、磁界発生器１２により発生された磁界と同一周波数の磁界の検出結果に基づいて、磁界発生器１２の近傍に同一周波数となる磁界が発生しているか否かを判定する。
【００９０】
ステップＳ１２において、磁界発生器１２の近傍に同一周波数となる磁界が発生していないと判定された場合、ステップＳ１３において、磁界発生器１２は、自分の電源をオンする。具体的には、利用者によって電源スイッチ１４が押されると、磁界発生回路４２には電源４４からの電力が供給されるので、磁界発生回路４２は、水晶発信子４３による振動の周波数と対応するように、アンテナ４１をドライブして磁界を発生させる。これにより、磁界発生器１２は、所定の周波数の磁界を発生する。
【００９１】
一方、ステップＳ１２において、磁界発生器１２の近傍に同一周波数となる磁界が発生していると判定された場合、既に他の機器によって、ICカード型リーダライタ１１を駆動させる所定の周波数の磁界が発生されており、さらに同一周波数の磁界を発生させる必要がないので、ステップＳ１３乃至ステップＳ１５の処理をスキップして、磁界発生器１２の処理は終了する。
【００９２】
ステップＳ２１において、制御部２６は、磁界発生器１２からの磁界によって、アンテナ２１に受信電圧が発生したか否かを判定する。
【００９３】
ステップＳ２１において、アンテナ２１に受信電圧が発生していないと判定された場合、ステップＳ２１に戻り、上述した処理が繰り返される。すなわち、例えば、利用者によって電源スイッチ１４が押されて、磁界発生器１２により磁界が発生させられる（ステップＳ１３の処理）ことで、その磁界によって、アンテナ２１に受信電圧が発生し、ステップＳ２１において、アンテナ２１に受信電圧が発生したと判定されるまで、ステップＳ２１の処理が繰り返される。
【００９４】
その後、ステップＳ２１において、アンテナ２１に受信電圧が発生したと判定された場合、ステップＳ２２において、電力再生回路２２は、磁界発生器１２に設けられたアンテナ４１により発生される磁界の一部が、アンテナ２１と鎮交することにより誘起される交流の受信電圧を直流の電源電圧VCCに変換し、その電源電圧VCCをICカード型リーダライタ１１の各部に供給することで、ICカード型リーダライタ１１の電源をオンする。
【００９５】
ステップＳ２３において、制御部２６は、受信回路２４および送信回路２５を制御して、通信可能な状態にある、例えば非接触ICカード１３などの機器を検出するためのポーリングを行う。具体的には、制御部２６は、送信回路２５を制御して、通信可能な状態にある機器を検出するための信号（以下、カード検出信号と称する）をアンテナ２１から送信させる。そして、通信可能な機器が存在する場合、その機器から応答（以下、カード応答信号と称する）が返ってくるので、制御部２６は、受信回路２４を制御して、そのカード応答信号をアンテナ２１に受信させることにより、通信可能な状態にある、例えば非接触ICカード１３などの機器を検出する。
【００９６】
ステップＳ２４において、制御部２６は、通信可能な状態にある、非接触ICカード１３などの機器が検出されたか否かを判定する。
【００９７】
ステップＳ２４において、非接触ICカード１３などの機器が検出されていないと判定された場合、ステップＳ２３に戻り、上述した処理が繰り返される。すなわち、例えば、利用者によって、非接触ICカード１３がICカード型リーダライタ１１に翳されて、ステップＳ２４において、通信可能な状態にある非接触ICカード１３が検出されたと判定されるまで、ステップＳ２３およびステップＳ２４の処理が繰り返される。
【００９８】
その後、ステップＳ２４において、非接触ICカード１３が検出されたと判定された場合、ステップＳ２５において、書き込み制御部２６ａは、検出された非接触ICカード１３に登録されている登録サービス情報６７ａを取得する。具体的には、書き込み制御部２６ａは、送信回路２５を制御して、登録サービス情報を取得するための要求（以下、登録サービス情報要求と称する）を、アンテナ２１を介して通信可能な状態にある非接触ICカード１３に送信させる。そして、書き込み制御部２６ａは、受信回路２４を制御して、アンテナ２１を介して非接触ICカード１３から送信されてくる登録サービス情報６７ａを受信させ、その登録サービス情報６７ａを取得する。
【００９９】
ステップＳ２６において、書き込み制御部２６ａは、非接触ICカード１３から取得した登録サービス情報６７ａが存在するか否かを判定する。具体的には、書き込み制御部２６ａは、非接触ICカード１３から取得した登録サービス情報６７ａと、不揮発性メモリ２７に記憶されているサービス情報２７ａとを比べて、それらのサービス情報が一致するか否かによって、登録サービス情報６７ａが存在するかを判定する。これにより、ICカード型リーダライタ１１は、同一の内容となるサービス情報２７ａを非接触ICカード１３に登録することを防止することができる。
【０１００】
ステップＳ２６において、非接触ICカード１３から取得した登録サービス情報６７ａが存在すると判定された場合、ステップＳ２７において、書き込み制御部２６ａは、サービス情報２７ａを書き込む領域を確認する。具体的には、制御部２６は、送信回路２５を制御して、サービス情報２７ａを書き込む領域を確認するための要求（以下、領域確認要求と称する）を、アンテナ２１を介して通信可能な状態にある非接触ICカード１３に送信させる。そして、書き込み制御部２６ａは、受信回路２４を制御して、アンテナ２１を介して非接触ICカード１３から送信されてくる、領域があるか否かを示す応答（以下、領域確認応答と称する）を受信させ、その領域確認応答を取得する。
【０１０１】
ステップＳ２８において、書き込み制御部２６ａは、非接触ICカード１３から受信した領域確認応答に基づいて、サービス情報２７ａを書き込む領域が存在するか否かを判定する。
【０１０２】
ステップＳ２８において、サービス情報２７ａを書き込む領域が存在すると判定された場合、ステップＳ２９において、書き込み制御部２６ａは、送信回路２５を制御して、不揮発性メモリ２７に記憶されているサービス情報２７ａを、アンテナ２１を介して非接触ICカード１３に送信して書き込む（記憶させる）。これにより、非接触ICカード１３は、ICカード型リーダライタ１１により、例えば、コーヒーショップの無料コーヒーのクーポン券の情報を示すサービス情報２７ａが書き込まれたことになる。
【０１０３】
ステップＳ３０において、記憶制御部２６ｂは、サービス情報２７ａを非接触ICカード１３に書き込む処理（ステップＳ２９の処理）に応じて、不揮発性メモリ２７に記憶されている書き込み回数情報２７ｂを１インクリメントして、内部カウンタを更新する。これにより、ICカード型リーダライタ１１は、例えば、無料コーヒーのクーポン券などのサービス情報２７ａにより提供されるサービスを限定数とするとき、書き込み回数情報２７ｂの回数を参照することで、非接触ICカード１３に書き込むサービス情報２７ａの数を制限することができる。
【０１０４】
ステップＳ１４において、磁界発生器１２は、磁界の発生を停止する所定の時刻が経過したか否かを判定する。
【０１０５】
ステップＳ１４において、所定の時刻を経過していないと判定された場合、ステップＳ１４に戻り、上述した処理が繰り返される。すなわち、磁界の発生を停止する所定の時刻が経過し、ステップＳ１４において、所定の時刻を経過したと判定されるまで、ステップＳ１４の処理が繰り返される。
【０１０６】
その後、ステップＳ１４において、所定の時刻を経過したと判定された場合、ステップＳ１５において、磁界発生器１２は、自分の電源をオフし、磁界発生器１２の処理は終了する。具体的には、磁界発生器１２において、電源スイッチ１４がオフすると、磁界発生回路４２には電源４４からの電力が供給されなくなるので、電源スイッチ１４をオフにさせる。これにより、磁界発生器１２は、磁界の発生を停止する。
【０１０７】
このとき、ICカード型リーダライタ１１においては、ステップＳ３１において、制御部２６は、磁界発生器１２からの磁界によって、アンテナ２１に受信電圧が発生しているか否かを判定する。
【０１０８】
ステップＳ３１において、アンテナ２１に受信電圧が発生していると判定された場合、ステップＳ３１に戻り、上述した処理が繰り返される。すなわち、磁界発生器１２により磁界が発生させられてから所定の時刻が経過し、磁界発生器１２の電源がオフされ、磁界発生器１２が磁界を発生させるのを停止し、ステップＳ３１において、アンテナ２１に受信電圧が発生していないと判定されるまで、上述した処理が繰り返される。
【０１０９】
その後、ステップＳ３１において、アンテナ２１に受信電圧が発生していないと判定された場合、ステップＳ３２において、電力再生回路２２は、アンテナ２１より受信電圧が供給されなくなるので、電源電圧VCCのICカード型リーダライタ１１の各部への供給を停止することで、ICカード型リーダライタ１１の電源をオフし、ICカード型リーダライタ１１の処理を終了する。
【０１１０】
次に、図６のフローチャートを参照して、図４および図５のICカード型リーダライタ１１の処理に対する、非接触ICカード１３の処理について説明する。
【０１１１】
図６のフローチャートにおいて、上述したように、図４のステップＳ２３の処理で、ポーリングによってカード検出信号がICカード型リーダライタ１１から送信されると、非接触ICカード１３では、ステップＳ５１において、そのカード検出信号を受信し、ステップＳ５２において、受信したカード検出信号に応じて、カード応答信号をICカード型リーダライタ１１に送信する。
【０１１２】
その後、上述したように、図４のステップＳ２５の処理で、登録サービス情報を取得する処理によって、登録サービス情報要求がICカード型リーダライタ１１から送信されると、非接触ICカード１３では、ステップＳ５３において、その登録サービス情報要求を受信し、ステップＳ５４において、受信した登録サービス情報要求に応じて、記憶している登録サービス情報要求２７ａをICカード型リーダライタ１１に送信する。
【０１１３】
その後、上述したように、図５のステップＳ２７の処理で、サービス情報２７ａを書き込む領域を確認する処理によって、領域確認要求がICカード型リーダライタ１１から送信されると、非接触ICカード１３では、ステップＳ５５において、その領域確認要求を受信し、ステップＳ５６において、受信した領域確認要求に応じて、不揮発性メモリ６７に新たな情報を書き込むための領域が存在するかを確認し、ステップＳ５７において、領域の存在を確認した結果に応じた領域確認応答をICカード型リーダライタ１１に送信する。
【０１１４】
その後、上述したように、図５のステップＳ２９の処理で、サービス情報２７ａを書き込む処理によって、サービス情報２７ａがICカード型リーダライタ１１から送信されると、非接触ICカード１３では、ステップＳ５８において、そのサービス情報２７ａを受信し、ステップＳ５９において、受信したサービス情報２７ａ（すなわち登録サービス情報６７ａ）を記憶する。
【０１１５】
以上のようにして、非接触ICカード１３は、ICカード型リーダライタ１１からのサービス情報２７ａを、登録サービス情報６７ａとして記憶する。なお、ICカード型リーダライタ１１と非接触ICカード１３との間では、必要に応じて相互認証などの認証処理が行われる。
【０１１６】
ところで、上述した例では、磁界発生器１２と、その磁界発生器１２による磁界の発生を開始させる電源スイッチ１４をポスタ１５側に設けるとして説明したが、本実施の形態では、磁界発生器１２と電源スイッチ１４を非接触ICカード１３に設けることもできる。そこで、次に、図７を参照して、磁界発生器１２と電源スイッチ１４を非接触ICカード１３に設けた場合のICカードシステム１について説明する。
【０１１７】
図７は、電子ポスタとして用いられるICカードシステムの他の構成を示すブロック図である。
【０１１８】
なお、図７では、図１と対応する部分については、同一の符号が付してあり、処理が同じ部分に関しては、その説明は繰り返しになるので省略する。すなわち、図７のICカードシステム１は、図１のICカードシステム１と同様のブロックにより構成されているが、図１ではポスタ１５側に設けられていた磁界発生器１２と電源スイッチ１４が、非接触ICカード１３に設けられている。
【０１１９】
つまり、利用者は、非接触ICカード１３をICカード型リーダライタ１１に翳すとき、非接触ICカード１３に設けられた電源スイッチ１４を押す。すると、非接触ICカード１３に設けられた磁界発生器１２が磁界を発生するので、非接触ICカード１３をICカード型リーダライタ１１に翳すことで、その磁界をICカード型リーダライタ１１に受信させることができる。そして、ICカード型リーダライタ１１は、図１のポスタ１５に磁界発生器１２が設けられていた場合と同様に、非接触ICカード１３に設けられた磁界発生器１２により発生される磁界によって、各部に電力が供給されて駆動され、リーダライタとして動作する。
【０１２０】
これにより、ICカード型リーダライタ１１と非接触ICカード１３は、上述した場合と同様に、通信を行う。
【０１２１】
以上のように、磁界を発生させる磁界発生部（磁界発生器１２）と、非接触ICカード１３との通信を行う通信制御部（ICカード型リーダライタ１１）を分離して、必要に応じて非接触ICカード１３と通信できるようにしたので、簡単に特定の権利（サービス情報２７ａ）を配布することができる。
【０１２２】
また、磁界発生部を除いたICカード型リーダライタ１１を、リーダライタ用のICカードとして分離することで、例えば街角に設けてある電子ポスタの設定変更は、そのリーダライタ用ICカード（ICカード型リーダライタ１１）の交換だけでできるようになり、専用のコントローラが必要なくなり、管理者は、簡単に設定を変更できる。さらに、そのリーダライタ用ICカード（ICカード型リーダライタ１１）は、既存の非接触ICカードを流用し、実現することが可能となるので、大量生産が可能となり価格を安くすることが可能となる。
【０１２３】
なお、ICカード型リーダライタ１１は、本実施の形態では、リーダライタモードとカードモードの両方のモードで動作するとして説明したが、リーダライタモードだけで動作するようにしてもよい。また、非接触ICカード１３は、例えば、携帯電話機などの機器に内蔵されるようにしてもよい。
【０１２４】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１２５】
図８は、上述した一連の処理をプログラムにより実行するパーソナルコンピュータの構成の例を示すブロック図である。CPU（Central Processing Unit）１１１は、ROM１１２、または記録部１１８に記録されているプログラムに従って各種の処理を実行する。RAM１１３には、CPU１１１が実行するプログラムやデータなどが適宜記憶される。これらのCPU１１１、ROM１１２、およびRAM１１３は、バス１１４により相互に接続されている。
【０１２６】
CPU１１１にはまた、バス１１４を介して入出力インターフェース１１５が接続されている。入出力インターフェース１１５には、マイクロホンなどよりなる入力部１１６、ディスプレイ、スピーカなどよりなる出力部１１７が接続されている。CPU１１１は、入力部１１６から入力される指令に対応して各種の処理を実行する。そして、CPU１１１は、処理の結果を出力部１１７に出力する。
【０１２７】
入出力インターフェース１１５に接続されている記録部１１８は、例えばハードディスクからなり、CPU１１１が実行するプログラムや各種のデータを記録する。通信部１１９は、インターネットやローカルエリアネットワークなどのネットワークを介して外部の装置と通信する。
【０１２８】
また、通信部１１９を介してプログラムを取得し、記録部１１８に記録してもよい。
【０１２９】
入出力インターフェース１１５に接続されているドライブ１２０は、磁気ディスク、光ディスク、光磁気ディスク、或いは半導体メモリなどのリムーバブルメディア１２１が装着されたとき、それらを駆動し、そこに記録されているプログラムやデータなどを取得する。取得されたプログラムやデータは、必要に応じて記録部１１８に転送され、記録される。
【０１３０】
コンピュータにインストールされ、コンピュータによって実行可能な状態とされるプログラムを格納するプログラム記録媒体は、図８に示すように、磁気ディスク（フレキシブルディスクを含む）、光ディスク（CD-ROM(Compact Disc-Read Only Memory),DVD(Digital Versatile Disk)を含む）、光磁気ディスク、もしくは半導体メモリなどよりなるパッケージメディアであるリムーバブルメディア１２１、または、プログラムが一時的もしくは永続的に格納されるROM１１２や、記録部１１８を構成するハードディスクなどにより構成される。プログラム記録媒体へのプログラムの格納は、必要に応じてルータ、モデムなどのインターフェースである通信部１１９を介して、ローカルエリアネットワーク、インターネット、デジタル衛星放送といった、有線または無線の通信媒体を利用して行われる。
【０１３１】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１３２】
また、本明細書において、システムとは、複数の装置により構成される装置全体を表すものである。
【０１３３】
なお、本発明の実施の形態は、上述した実施の形態に限定されるものではなく、本発明の要旨を逸脱しない範囲において種々の変更が可能である。
【図面の簡単な説明】
【０１３４】
【図１】電子ポスタとして用いられるICカードシステムの構成を示すブロック図である。
【図２】本発明を適用したICカードシステムの一実施の形態の構成を示すブロック図である。
【図３】非接触ICカードの機能の構成を示すブロック図である。
【図４】サービス情報の書き込み処理を説明するフローチャートである。
【図５】サービス情報の書き込み処理を説明するフローチャートである。
【図６】図４および図５のICカード型リーダライタの処理に対する、非接触ICカードの処理について説明する。
【図７】電子ポスタとして用いられるICカードシステムの他の構成を示すブロック図である。
【図８】パーソナルコンピュータの構成を示すブロック図である。
【符号の説明】
【０１３５】
１  ICカードシステム，  １１  ICカード型リーダライタ，  １２  磁界発生器，  １３  非接触ICカード，  １４  電源スイッチ，  １５  ポスタ，  ２１  アンテナ，  ２２  電力再生回路，  ２３  クロック抽出回路，  ２４  受信回路，  ２５  送信回路，  ２６  制御部，  ２６ａ  書き込み制御部，  ２６ｂ  記憶制御部，  ２７  不揮発性メモリ，  ２７ａ  サービス情報，  ２７ｂ  書き込み回数情報，  ４１  アンテナ，  ４２  磁界発生回路，  ４２ａ  磁界検出部，  ４３  水晶発信子，  ４４  電源，  ６１  アンテナ，  ６２  復調部，  ６３  SPU，  ６４  制御部，  ６５  ROM，  ６６  RAM，  ６７  不揮発性メモリ，  ６７ａ  登録サービス情報，  ６８  発信回路，  ６９  変調部，  ７０  電力発生部
【図１】
2008040972.tif 000003
【図２】
2008040972.tif 000004
【図３】
2008040972.tif 000005
【図４】
2008040972.tif 000006
【図５】
2008040972.tif 000007
【図６】
2008040972.tif 000008
【図７】
2008040972.tif 000009
【図８】
2008040972.tif 000010